(57)【要約】【課題】凝縮器用ベルマウス４１のディフューザ４２にゴミ等の異物が付着したりしないようにしてファンが損傷するのを防止する。【解決手段】ファンを回転させて空気を送風する際に、当該空気を整流して効率的な送風が行えるように、ファンの先端に近接して設けられるディフューザ４２を備えた凝縮器用ベルマウス４１において、ディフューザ４２の最下端部にファン損傷防止部材４３として、切欠４３ａを設ける。これによりゴミ等の異物が進入してもこの切欠から落下することで、異物にファンが当り損傷するのを防止する。【選択図】      図３
2004293415.tif 000002
【特許請求の範囲】
【請求項１】
凝縮器からの室外空気を排出するためのファンを囲むように配設されるディフューザを備えた凝縮器用ベルマウスにおいて、
前記ディフューザの最下端部に、ファン損傷防止部材を設けたことを特徴とする凝縮器用ベルマウス。
【請求項２】
前記ファン損傷防止部材が、前記ディフューザの最下端部に形成した切欠であることを特徴とする請求項１記載の凝縮器用ベルマウス。
【請求項３】
前記切欠は、端部に向けて広がるＶ字状の切欠、または略四角形状の切欠であることを特徴とする請求項２記載の凝縮器用ベルマウス。
【請求項４】
前記ファン損傷防止部材が、前記ディフューザの最下端部に設けられた電気ヒータであることを特徴とする請求項１記載の凝縮器用ベルマウス。
【発明の詳細な説明】
【０００１】
【発明の属する技術分野】
本発明は、ディフューザにゴミや氷等の異物が付着して、これにファンが当ることにより損傷を受けるのを防止した凝縮器用ベルマウスに関する。
【０００２】
【従来の技術】
従来、冷凍装置では、冷媒を圧縮する圧縮機、冷媒を凝縮させる凝縮器、凝縮して液状化した冷媒を貯留するレシーバタンク等を備えて、冷媒を冷凍回路中を循環させるようにしている。
【０００３】
例えば、ショーケース等では、室内側に配設されて商品等を冷却して陳列する室内ユニットと、室外側に設置されて室内ユニットと冷媒配管により接続された室外ユニットとを備えて、室外ユニットには、アキュムレータ、圧縮機、オイルセパレータ、凝縮器、レシーバタンク等が設けられ、室内ユニットには膨張弁、蒸発器等が設けられている。
【０００４】
そして、圧縮機で圧縮された冷媒は、凝縮器で凝縮して液状化する。このとき、圧縮機の摺動部を潤滑するために潤滑油が用いられているが、この潤滑油が冷媒と共に当該圧縮機から吐出されるので、オイルセパレータにより潤滑油を分離して圧縮機に戻している。
【０００５】
凝縮器で凝縮して液状化した冷媒は、レシーバタンクに貯留され、当該レシーバタンクから室内ユニットに供給される。
【０００６】
室内ユニットでは、膨張弁により冷媒を膨張させ、蒸発器で蒸発させることにより冷熱を発生して、商品等の冷却を行う。
【０００７】
その後、冷媒は室外ユニットに戻り、アキュムレータで気液分離されて、気体の冷媒のみが圧縮機に戻る。
【０００８】
図６は、このような構成における室外ユニット１００の斜視図で、室外ユニット筐体１０１内に図示しない圧縮機、凝縮器及び外気をこの凝縮器に送風する送風機１０４等が図示されている。なお、図６においてはファンガード１１１を取外した状態を示している。
【０００９】
送風機１０４は、モータ１０５、該モータ軸１０６に取付けられたファン１０７、該ファン１０７の周囲に設けられた凝縮器用ベルマウス１０８等を備えて、該凝縮器用ベルマウス１０８は、ファン１０７の先端に隣接する円筒状のディフューザ１０９を備えている（特許文献１参照）。
【００１０】
そして、ファン１０７が回転することにより空気が流動し、その際に当該空気を整流して効率的に凝縮器を通過するようにしている（特許文献１参照）。
【００１１】
【特許文献１】
特開２０００−２１９９号公報
【００１２】
【発明が解決しようとする課題】
しかしながら、ディフューザ１０９にゴミや氷等の異物が付着したりする場合があり、この異物にファン１０７が当接すると当該ファン１０７が損傷を受ける問題があった。
【００１３】
即ち、図７に示すように、ディフューザ１０９はファン１０７の先端位置に近接して設けられ、この隙間から空気が漏れたりしないようにしている。
【００１４】
ところが、ゴミ等がこの隙間に侵入したり、また雨水等が進入して特に寒冷地では夜間凍結してしたりすると、これらの異物１１０にファン１０７が当って損傷してしまう場合がある。
【００１５】
そこで、本発明は、ディフューザにゴミ等の異物が付着したりしないようにしてファンが損傷するのを防止できるようにした凝縮器用ベルマウスを提供することを目的とする。
【００１６】
【課題を解決するための手段】
上記課題を解決するため、請求項１にかかる発明は、凝縮器からの室外空気を排出するためのファンを囲むように配設されるディフューザを備えた凝縮器用ベルマウスにおいて、ディフューザの最下端部に、ファン損傷防止部材を設けて、ディフューザにゴミ等の異物が付着したりしないようにしてファンが損傷を受けるのを防止したことを特徴とする。
【００１７】
請求項２にかかる発明は、ファン損傷防止部材が、ディフューザの最下端部に形成した切欠であることを特徴とする。
【００１８】
請求項３にかかる発明は、切欠は、端部に向けて広がるＶ字状の切欠、または略四角形状の切欠であることを特徴とする。
【００１９】
請求項４にかかる発明は、ファン損傷防止部材が、ディフューザの最下端部に設けられた電気ヒータであることを特徴とする。
【００２０】
【発明の実施の形態】
本発明の実施の形態を図を参照して説明する。図１は本発明の説明に適用される冷凍装置の概略構成を示す図で、当該冷凍装置１は圧縮機４や凝縮器５等を備えて室外等に配設される室外ユニット２と、膨張弁６や蒸発器７等を備えて熱利用空間側に配設される室内ユニット３とを主要構成としている。
【００２１】
なお、本実施の形態では冷凍装置１により冷熱を利用する場合について説明するが、温熱を利用する場合も適用可能であることは言うまでもない。また、冷媒として従来から用いられているＨＦＣ冷媒等を例に説明するが二酸化炭素冷媒を用いても良い。
【００２２】
そして、室外ユニット２における圧縮機４で圧縮された冷媒は、凝縮器５で凝縮して液状化する。液状化した冷媒は、冷媒配管により室内ユニット３に送られ、膨張弁６で膨張されて蒸発器７で蒸発することにより冷熱を発生する。その後冷媒は冷媒配管により室外ユニット２に戻り圧縮機４で圧縮される。
【００２３】
図２は、このような室外ユニット２の構成を詳細に示した図である。当該室外ユニット２は、凝縮器５、ストレーナ１１、アキュムレータ１２、圧縮機４、オイルセパレータ１３、レシーバタンク１４、フィルタドライヤ１５、冷媒注入装置２０等を備えている。
【００２４】
そして、室内ユニット３から戻ってきた冷媒は、ストレーナ１１、アキュムレータ１２、圧縮機４、オイルセパレータ１３へと流動して凝縮器５に流入し、その後レシーバタンク１４、フィルタドライヤ１５等を経て室内ユニット３に供給される。
【００２５】
ストレーナ１１は、室内ユニット３から室外ユニット２に戻った冷媒に含まれる不純物（摩耗粉等のゴミ）を除去するものである。アキュムレータ１２は、ストレーナ１１からの冷媒を気液分離して、圧縮機４で液圧縮が起きないように、気体の冷媒のみを当該圧縮機４に供給できるようにするものである。
【００２６】
圧縮機４は、図示しない圧縮室やモータを備えて、当該モータの動力により圧縮室の空間容積を拡大してアキュムレータ１２から供給される気体の冷媒を吸気し、その後当該圧縮室の空間容積を縮小して冷媒を圧縮するものである。
【００２７】
このような冷凍装置に適用される圧縮機４、スクロール圧縮機、ロータリ圧縮機、ピストン圧縮機等の種々の構成の圧縮機４の適用が可能であり、複数の圧縮室を備えて多段圧縮する圧縮機４にも適用できる。
【００２８】
この圧縮機４には、ケース内の圧力を検出する高圧センサ２１、低圧センサ２２及び高圧圧力計２３が設けられると共に、高圧センサ２１や低圧センサ２２に制御回路２４が接続されている。
【００２９】
そして、制御回路２４は低圧センサ２２からの信号に基づき当該圧縮機４の運転停止の制御を行い、また高圧センサ２１からの信号が所定レベルを超えたときに圧縮機４を強制停止させて予め設定された異常圧力以上にならないようにしている。このときの圧力は、高圧圧力計２３により視認可能になっている。
【００３０】
オイルセパレータ１３は、圧縮機４内における各種の摺動部（例えば、モータの回転軸や圧縮室を形成する複数の部材間の当接部）を潤滑した潤滑油のうち冷媒と共に吐出された潤滑油を分離するもので、分離された潤滑油は潤滑油戻管２５を介して圧縮機４に戻るようになっている。
【００３１】
凝縮器５は、圧縮されて高温高圧になった冷媒と外気とを熱交換させて、当該冷媒を凝縮させるもので、外気は送風機２６により送風されている。
【００３２】
なお、冷媒としてＨＦＣ冷媒等が用いられている場合には、冷媒はこの凝縮器５で凝縮することにより凝縮して液化するが、二酸化炭素の場合には液相と気相との混合状態（超臨界状態）となる。
【００３３】
しかしながら、先にも述べたように、本発明は、冷媒としてＨＦＣ冷媒等に限らず二酸化炭素も利用可能であるので、二酸化炭素を用いた場合も含めて、冷媒は当該凝縮器５で「液状化」すると記載する。
【００３４】
送風機２６は、図示しないモータ、モータ軸に取付けられたファンを備えると共に、図３〜図５に示すようなファンの周囲に配設される凝縮器用ベルマウス４１等を備えて、該凝縮器用ベルマウス４１がファンにより流動する空気を整流して外気が凝縮器５を効率的に通過するようにしている。
【００３５】
この凝縮器用ベルマウス４１のディフューザ４２には、ファン損傷防止部材４３が設けられて、ゴミや氷等の異物によりファンが損傷を受けないようになっている。
【００３６】
図３に示すファン損傷防止部材４３は、ディフューザ４２の下端部に三角形状の切欠４３ａを形成して構成した場合を示し、図４に示すファン損傷防止部材４３は、ディフューザ４２の下端部に四角形状の切欠４３ｂを形成して構成した場合を示している。
【００３７】
これにより、ゴミが侵入してきても、この切欠４３ａ，４３ｂからゴミが落下するので、ディフューザ４２に止まらず、ファンに損傷を与えることがない。
【００３８】
また、寒冷地の冬季等において雨水や雪等が侵入しても、この雨水等は切欠４３ａ，４３ｂから落下するので、ディフューザ４２に止まらず、凍結してファンに損傷を与えることがない。
【００３９】
なお、凝縮器用ベルマウス４１には網目状のファンガード４４が設けられてゴミ等の侵入を防止している。このような場合、網目サイズが小さいと、例えゴミが侵入してもそのゴミは小さいので、ファンに損傷を与える危険が少ないが、雨水等は網目サイズに関係なく侵入する。
【００４０】
そこで、雨水等の凍結のみを防止することを目的とする場合には、図５に示すように、雨水等が溜るディフューザ４２の下端部分にファン損傷防止部材４３として電気ヒータ４３ｃを配設して、外気温度が水の凍結気温（例えば、０℃）になると当該電気ヒータ４３ｃに通電を行い凍結しないようにしても良い。
【００４１】
レシーバタンク１４は、凝縮器５で液状化した冷媒を貯留するもので、室内ユニット３側での熱負荷の変動に対して過不足無く冷媒が供給できるようにしている。
【００４２】
このレシーバタンク１４には、可溶栓２７が設けられて、例えば室外ユニット２を収納する家屋が火災を起したような場合に、その熱で冷凍装置１中の冷媒が加熱されて破裂しないように、所定の温度（可溶栓２７の融点）になると溶融して冷凍装置１内の冷媒を大気に放出することで破裂を防止している。
【００４３】
フィルタドライヤ１５は、冷媒に水分が含まれていると室内ユニット３における蒸発器７で蒸発した際に、この水分が凍り、冷媒回路を詰らせたりしないように、当該水分を除去するものあり、モイスチャーインジケータ２８は循環する冷媒を視認して、冷媒量やフィルタドライヤ１５に用いられているフィルタの交換時期を判断するため等に用いられるものである。
【００４４】
また、冷媒注入装置２０は、抽出管２９、ストレーナ３０、サーモバルブ３１、キャピラリーチューブ３２、感温筒３４、注入制御弁３７等を有して、先に述べたようにレシーバタンク１４に貯留されている液状化冷媒の一部を圧縮機４に注入している。
【００４５】
抽出管２９は、レシーバタンク１４に接続されて、当該レシーバタンク１４に貯留されている液状化した冷媒を抽出するものであり、ストレーナ３０は抽出した冷媒に含まれるゴミを除去するものである。
【００４６】
感温筒３４は、圧縮機４の吐出管３８に密着して取付けられて、吐出冷媒の温度により体積膨張することにより温度を検出するものであり、サーモバルブ３１は感温筒３４の温度検出結果により弁の開閉を行って圧縮機４に注入する冷媒量を制御するためのものである。
【００４７】
キャピラリーチューブ３２は、圧縮機４の起動時等におけるように感温筒３４によるサーモバルブ３１の制御の遅れを補う目的で、サーモバルブ３１に並列に接続されたものである。
【００４８】
【発明の効果】
以上説明したように、本発明によれば、ディフューザの最下端部にファン損傷防止部材を設けたので、ゴミ等の異物によりファンが損傷を受けるのを防止することが可能になる。
【００４９】
【図面の簡単な説明】
【図１】本発明の実施の形態の説明に適用される冷凍装置の概略構成図である。
【図２】室外ユニットの詳細構成を示す図である。
【図３】３角形状の切欠を備えた凝縮器用ベルマウスの斜視図である。
【図４】４角形状の切欠を備えた凝縮器用ベルマウスの斜視図である。
【図５】電気ヒータを備えた凝縮器用ベルマウスの斜視図である。
【図６】従来の技術の説明に適用される室外ユニットを概略斜視図である。
【図７】凝縮器用ベルマウス周囲の形状を示す部分破断斜視図である。
【符号の説明】
１  冷凍装置
２  室外ユニット
３  室内ユニット
４  圧縮機
５  凝縮器
２６  送風機
４１  凝縮器用ベルマウス
４２  ディフューザ
４３  ファン損傷防止部材
４３ａ，４３ｂ  切欠
４３ｃ  電気ヒータ
４４  ファンガード
【図１】
2004293415.tif 000003
【図２】
2004293415.tif 000004
【図３】
2004293415.tif 000005
【図４】
2004293415.tif 000006
【図５】
2004293415.tif 000007
【図６】
2004293415.tif 000008
【図７】
2004293415.tif 000009